(57)【特許請求の範囲】
【請求項１】
触媒用スラリーを調整、保持するスラリーストックタンクと、
該スラリーストックタンクに該触媒用スラリーを供給するスラリー供給手段と、
一端および他端がスラリーストックタンク内に開口し、該一端部から該他端部を通って該触媒用スラリーを循環させるスラリー循環手段と、
該スラリー循環手段に接続され、該スラリー循環手段を循環する該触媒用スラリーを送出するスラリー送出手段と、
該スラリーストックタンク内の該スラリーの粘度を測定する粘度計と、
該粘度計と接続され該スラリーストックタンク内の該スラリーを攪拌する攪拌機と、
該スラリーストックタンクに一体的に形成され、スラリー温度を測定するとともにスラリー温度を一定に保持する調温手段と、
を有することを特徴とする触媒用スラリー調整装置。
【請求項２】
前記スラリー送出手段は、前記スラリー循環手段より送出された前記触媒用スラリーの過剰量を前記スラリーストックタンクに足す返還手段を有する請求項１記載の触媒用スラリー調整装置。
【請求項３】
前記触媒用スラリー調整装置は、前記スラリーストックタンクに水を供給する水供給手段を有する請求項１記載の触媒用スラリー調整装置。
【請求項４】
前記スラリー送出手段は、前記スラリー循環手段内に加圧されたガスを供給するガス供給手段を有する請求項１記載の触媒用スラリー調整装置。
【請求項５】
前記スラリー循環手段は、スラリーだめを有する請求項１記載の触媒用スラリー調整装置。
【請求項６】
前記ガス供給手段は、ガスだめを有することを特徴とする請求項４記載の触媒用スラリー調整装置。
【請求項７】
前記触媒用スラリーは、無機酸化物と、バインダーと、水および／または貴金属含有溶液よりなる請求項１記載の触媒用スラリー調整装置。
【請求項８】
前記調温機は、前記スラリー温度を１５〜３５℃の範囲内に保持する請求項１記載の触媒用スラリー調整装置。
【請求項９】
前記攪拌機は、回転数が１５〜３５Ｈｚで前記触媒用スラリーを攪拌する請求項１記載の触媒用スラリー調整装置。
【発明の詳細な説明】
【０００１】
【発明の属する技術分野】
本発明は、触媒用スラリーを調整する触媒用スラリー調整装置に関し、詳しくは、触媒用スラリーを保持する工程において触媒用スラリーの粘度の変化を防止する触媒用スラリー調整装置に関する。
【０００２】
【従来の技術】
自動車のエンジン等の内燃機関から排出される排気ガスは、炭化水素（ＨＣ）、一酸化炭素（ＣＯ）、窒素酸化物（ＮＯｘ）等の有害成分を含有している。この排気ガスをそのまま排出することは、公害や環境の悪化を引き起こす。このため、これらの排気ガスは触媒コンバータ等を用いて浄化された後に大気中に排出されている。
【０００３】
触媒コンバーターは、耐熱性セラミックス、耐熱性金属等で形成された触媒担体と、この触媒担体表面に塗布された耐熱性多孔質層と、この多孔質層に担持された触媒成分と、から構成されている。このような触媒コンバーターの多孔質層は、触媒成分を含有したあるいは含有しない耐熱性粉末のスラリーを触媒担体に接触、含浸させることで製造されている。
【０００４】
この触媒用スラリーは、例えば活性アルミナ粉末、セリア粉末等の触媒成分と、バインダー、純水等よりなるスラリー原料を所定量秤量して、触媒用スラリー調整装置のスラリーストックタンクに投入し、攪拌機で攪拌して調整していた。
【０００５】
【発明が解決しようとする課題】
調整された触媒用スラリーは、そのままの状態で保持しておくとスラリーに分散された粒子成分が互いの分子間力によりゆるく結合してスラリー粘度にばらつきが生じる。スラリー粘度にばらつきが生じると、触媒担体に担持される触媒成分量が変化することとなり、触媒コンバーターとして好ましくなくなる。
【０００６】
触媒用スラリーは、その液温が変化するとそのチキソトロピーが変化するようになる。触媒用スラリーのチキソトロピーが変化すると、触媒用スラリーの粘度に変化が生じ、触媒担体へのスラリー付着量にばらつきが生じるようになる。スラリー付着量のばらつきは、製造される触媒コンバーターの浄化性能のばらつきを生じるようになるため好ましくなかった。
【０００７】
さらに、従来の触媒用スラリー調整装置のように、触媒用スラリーをスラリーストックタンク内で攪拌して調整する触媒用スラリー調整装置では、触媒用スラリーの使用にともなってスラリーストックタンク内の触媒用スラリー量が減少するようになる。スラリーストックタンク内の触媒用スラリー量が変化すると、攪拌速度に変化が生じるようになる。攪拌速度が変化すると、スラリー粘度にも変化が生じるようになる。
【０００８】
また、従来の触媒用スラリー調整装置は、スラリー中で回転羽根を回転させて触媒用スラリーを攪拌しているが、回転羽根の回転速度が遅くなると、触媒用スラリーの攪拌が十分になされないよどみが生じるようになり、スラリー粘度にばらつきが生じる。また、回転速度が速くなると、触媒用スラリー中に空気が侵入するようになる。
【０００９】
本発明は上記実状に鑑みてなされたものであり、調整、保持工程における触媒用スラリーの粘度の変化を抑えた触媒用スラリー調整装置を提供することを課題とする。
【００１０】
【課題を解決するための手段】
上記課題を解決するため本発明者らは触媒用スラリー調整装置において触媒用スラリーに同じせん断力を常に加える手段について検討を重ねた結果、両端がスラリーストックタンク内に開口したスラリー循環手段をもうけ、この触媒用スラリー循環手段を通って触媒用スラリーを循環させることで上記課題を解決できることを見出した。
【００１１】
すなわち、本発明の触媒用スラリー調整装置は、触媒用スラリーを調整、保持するスラリーストックタンクと、このスラリーストックタンクに触媒用スラリーを供給するスラリー供給手段と、一端および他端がスラリーストックタンク内に開口し、一端部から他端部を通って触媒用スラリーを循環させるスラリー循環手段と、スラリー循環手段に接続され、スラリー循環手段を循環する触媒用スラリーを送出するスラリー送出手段と、スラリーストックタンク内のスラリーの粘度を測定する粘度計と、粘度計と接続されスラリーストックタンク内のスラリーを攪拌する攪拌機と、スラリーストックタンクに一体的に形成され、スラリー温度を測定するとともにスラリー温度を一定に保持する調温手段と、を有することを特徴とする。
【００１２】
本発明の触媒用スラリー調整装置は、触媒用スラリーを循環させ同じせん断力を与える流れを触媒用スラリーに与えることで触媒用スラリーの粘度を均一に保っている。また、スラリーストックタンク内の触媒用スラリーの粘度を一定に保っている。このため、常に安定した状態で触媒用スラリーを触媒担体に供給塗布することができる。
【００１３】
【発明の実施の形態】
本発明の触媒用スラリー調整装置は、一端および他端がスラリーストックタンク内に開口し、一端部から他端部を通って触媒用スラリーを循環させるスラリー循環手段を有する。触媒用スラリーは、このスラリー循環手段を循環することで、攪拌され、触媒用スラリーがゲル化することを防止している。
【００１４】
スラリー循環手段は、一端および他端がスラリーストックタンク内に開口し、この一端部から他端部を通って触媒用スラリーを循環させる手段である。このスラリー循環手段としては、例えば、一端がスラリーストックタンク内の触媒用スラリー中に開口し、他端が触媒用スラリー中に開口した管路と、この管路中にもうけられ触媒用スラリーを循環させる動力源としてのポンプと、からなる循環手段をあげることができる。
【００１５】
本発明の触媒用スラリー調整装置は、触媒用スラリーを調整、保持するスラリーストックタンクを有する。スラリーストックタンクは、触媒用スラリーを調整または保持するためのものであり、従来のスラリー調整装置に用いられたスラリーストックタンクを用いることができる。
本発明の触媒用スラリー調整装置は、スラリーストックタンクに触媒用スラリーを供給するスラリー供給手段を有する。スラリー供給手段は、スラリーストックタンクに触媒用スラリーを供給するものであり、スラリーストックタンク内のスラリー量を一定の範囲に制御することができる。例えば、スラリースロットタンクに開口した原料供給孔を有する管路をあげることができる。
【００１６】
このスラリー供給手段における触媒用スラリーの供給は、触媒用スラリーを形成するスラリー原料状態での供給や、触媒用スラリーとして製造されたスラリー状態での供給のどちらでも良いが、予めスラリーとして形成されたスラリー状態での供給が好ましい。
本発明の触媒用スラリー調整装置は、スラリー循環手段に接続され、スラリー循環手段を循環する触媒用スラリーを送出するスラリー送出手段を有する。スラリー送出手段は、触媒用スラリー調整装置により調整された触媒用スラリーを、触媒担体に触媒用スラリーを塗布する触媒用スラリー塗布装置等の外部装置に供給するために送出する手段である。
【００１７】
スラリー送出手段とスラリー循環手段との接続は、切り替え装置を介してなされている。すなわち、スラリー送出手段とスラリー循環手段との接続部に切り替え装置を有することで、スラリー循環手段を循環する触媒用スラリーがスラリー送出手段を選択的に流れることができる。
このスラリー送出手段および切り替え装置としては、例えば、スラリー送出手段としてはスラリー送出手段が接続されるスラリー循環手段と同様な管路を、切り替え装置としては管路を接続するバルブをあげることができる。
【００１８】
スラリーストックタンク内のスラリーの粘度を測定する粘度計と、粘度計と接続されスラリーストックタンク内のスラリーを攪拌する攪拌機と、スラリーストックタンクに一体的に形成され、スラリー温度を測定するとともにスラリー温度を一定に保持する調温手段と、を有することが好ましい。
粘度計は、スラリーストックタンク内のスラリーの粘度を測定するものである。触媒用スラリーは粘度が変化すると触媒担体へのスラリー付着量にばらつきが生じるようになるため、触媒用スラリーの粘度を制御するため粘度計を用いて粘度の測定がなされている。
【００１９】
攪拌機は、粘度計と接続され、スラリーストックタンク内のスラリーを攪拌する。触媒用スラリーが排出されると、スラリーストックタンク内の触媒用スラリー量が変化し、攪拌機の攪拌速度が変化するようになる。攪拌速度が変化すると、触媒用スラリーのスラリー粘度が変化し、触媒担体への触媒用スラリーの付着量にばらつきが生じるようになる不具合が生じる。このため、スラリーストックタンク内の触媒用スラリーの粘度を一定の範囲に保つために、粘度計と接続した攪拌機の攪拌を制御される。
【００２０】
攪拌機は、従来の触媒用スラリー調整装置に用いられている攪拌機を用いることができる。すなわち、モーターと、このモーターの回転軸の先端に連結された回転羽根と、から構成される攪拌機を用いることができる。なお、攪拌機は、粘度計により測定された触媒用スラリーの粘度をフィードバックして回転数を制御できる。
【００２１】
調温手段は、スラリーストックタンクに一体的に形成され、スラリー温度を測定するとともにスラリー温度を一定に保持するものである。調温手段により触媒用スラリーの温度を一定の範囲に保つことで、触媒用スラリーの粘度の変動を抑えている。すなわち、触媒用スラリーの温度が変化すると、触媒用スラリーのチキソトロピーが変化する。触媒用スラリーのチキソトロピーの変化は、触媒用スラリーの粘度の変化を生じさせ、さらには触媒担体への触媒用スラリー付着量にばらつきが生じるようになる。
【００２２】
調温手段は、触媒用スラリーの温度を測定する温度測定機と、触媒用スラリーの温度を一定に保持する調温機と、から構成される。温度測定機としては、触媒用スラリーの温度を測定できるものであればよく、熱電対等を使用できる。調温機は、温度測定機により測定された触媒用スラリーの温度をフィードバックして加熱することができるものである。
【００２３】
スラリー送出手段は、スラリー循環手段より送出された触媒用スラリーの過剰量をスラリーストックタンクに足す返還手段を有することが好ましい。返還手段は、スラリー送出手段より外部装置に過剰に送出された触媒用スラリーのうち、過剰量をスラリーストックタンクに再度、供給するための手段である。返還手段を有することで、触媒用スラリーのロスを抑えられる。
【００２４】
触媒用スラリー調整装置は、スラリーストックタンクに水を供給する水供給手段を有することが好ましい。すなわち、返還手段によりスラリーストックタンク内に供給された触媒用スラリーは、例えば、触媒担体と接触したような場合には触媒用スラリー中の水分が触媒担体に吸収されているため、適切な粘度を保持するために水を供給する必要があるためである。
【００２５】
スラリー送出手段は、スラリー循環手段内に加圧されたガスを供給するガス供給手段を有することが好ましい。ガス供給手段は、加圧されたガスをスラリー循環手段に供給することでこのスラリー循環手段内を循環している触媒用スラリーを押し出す。すなわち、スラリー送出手段への触媒用スラリーの送出を、この加圧されたガスの圧力を用いて行うものである。
【００２６】
ガス供給手段によるガスの供給はスラリー送出手段にスラリーを送出するときに行われるものであり、常にガスの供給を行う必要はない。また、スラリー循環手段を触媒用スラリーが循環している時には、加圧されていない。
【００２７】
スラリー循環手段は、スラリーだめを有することが好ましい。スラリーだめを有することでスラリー送出手段にスラリー循環手段を循環する触媒用スラリーを送出するときに十分な量の触媒用スラリーを送出することができる。スラリーだめ内においても、スラリー循環手段と同様に触媒用スラリーが循環している。このため、スラリーだめの内部でよどみが生じることによるスラリー粘度のばらつきは生じない。
【００２８】
スラリーだめとしては、例えば、スラリー循環手段を形成する管路において、その内径が太くなるように形成されている管をあげることができる。
ガス供給手段は、チャンバーを有することが好ましい。チャンバーに加圧されたガスがためられるため、このガス供給手段が接続されたスラリー循環手段からガス供給手段への触媒用スラリーの逆流を抑えることができる。
【００２９】
触媒用スラリーとしては、無機酸化物と、バインダーと、水および／または貴金属含有溶液よりなることが好ましい。この触媒用スラリーは、粘度が６０ｃｐｓであることが好ましい。
無機酸化物としては、たとえば、活性アルミナ、シリカ、チタニア、セリア、ジルコニア等からなる群より選ばれる少なくとも１種以上の無機酸化物をあげることができる。
【００３０】
攪拌機は、回転数が１５〜３５Ｈｚで触媒用スラリーを攪拌することが好ましい。攪拌機の回転数を１５〜３５Ｈｚとすることで、触媒用スラリーの粘度を最適値である６０ｃｐｓ±１０％の範囲に収めることができる。回転数が１５Ｈｚ未満となると触媒用スラリーの粘度が上昇し、３５Ｈｚを超えると触媒用スラリーの粘度が低下する。
【００３１】
調温機は、スラリー温度を１５〜３５℃の範囲内に保持することが好ましい。スラリー温度が高くなると、スラリーの水分が蒸発して、スラリーの固形成分の割合が上昇し、粘度が上昇するようになる。また、スラリーに含まれる成分によっては、反応を生じ、スラリーの粘度が上昇するようになる。スラリー温度が低くなると、外気温とスラリー温度との温度差により結露が生じ、この結露した水分によるスラリーの水分の割合が上昇するようになる。水分の割合が上昇することは、スラリーの粘度が低下するようになる。このため、スラリーの温度を常温域の１５〜３５℃に保つことが好ましい。
【００３２】
【実施例】
以下、実施例を用いて本発明を説明する。
（実施例）
本発明の実施例として、触媒用スラリー調整装置を作成した。本実施例の触媒用スラリー調整装置の構成を図１に示した。
【００３３】
本実施例の触媒用スラリー調整装置は、スラリーストックタンク１０と、スラリー循環管２０と、スラリー送出管３０と、ガス供給管４０と、スラリー供給管５０と、攪拌機６０と、温調機７０と、から、構成されている。
スラリーストックタンク１０は、投入されたスラリーが保持される上方が開口した槽状の容器である。
【００３４】
スラリー循環管２０は、一端部２１がスラリーストックタンク１０の底面に開口し、スラリーストックタンク１０の外部を通り他端部２２がスラリーストックタンク１０の上方の位置に開口した管路である。また、スラリー循環管２０は、一端部２１と他端部２２の間にポンプ２５を、ポンプ２５と他端部２２の間にバルブ２３がもうけられている。ポンプ２５は、一端部２１から吸入されたスラリーを、他端部２２から排出するものである。バルブ２３は、スラリー循環管２０を循環するスラリーを遮断するものである。
【００３５】
スラリー循環管２０は、その管路中に管の内径が太くなったスラリーだめ２６を有する。スラリーだめ２６は、スラリー送出管３０より外部装置に送出されるスラリーを、所定量送出するためにスラリー循環管２０中に保持するためにもうけられている。
スラリー送出管３０は、スラリー循環管２０のポンプ２５とスラリーだめ２６との間に接続されている。スラリー送出管３０は、スラリー循環管２０およびスラリーだめ２６を循環しているスラリーを外部装置に送出するための管路である。このスラリー排出管３０とスラリー循環管２０との接続は、スラリーの流れる管の切り替えが可能なバルブ３１を介してなされている。
【００３６】
また、スラリー送出管３０には、バルブ３２を介してスラリー還元管３５が接続されている。スラリー還元管３５は、外部装置に送出されたスラリーの過剰量をスラリーストックタンク１０に還元するための管であり、その開口部３３はスラリーストックタンク１０の上方に開口している。バルブ３２により、バルブ３１から外部装置へと、あるいは外部装置から開口部３３へと、スラリーが流れる管路が切り替えられるようになっている。
【００３７】
ガス供給管４０は、スラリー循環管２０と接続され、スラリー循環管２０に加圧されたガスを供給するものである。ガス供給管４０より供給される加圧されたガスを供給することで、スラリー循環管２０内のスラリーをスラリー送出管３０に送出する。
ガス供給管４０は、加圧されたガスの供給を制御するバルブ４１と、ガス供給管４０内の加圧されたガスを排出するバルブ４２と、がもうけられている。また、バルブ４１とスラリー循環管２０との間に加圧されたガスを保持するガスだめ４５がもうけられている。ガスだめ４５を有することでガス供給管４０は、スラリー循環管２０からのスラリーの逆流を防止できる。
【００３８】
スラリー供給管５０は、原料スラリーをスラリーストックタンク１０に供給する管であり、一端部５１がスラリーストックタンク１０の上方に開口している。
また、水供給管５５も、スラリー供給管５０と同様に一端部５６がスラリーストックタンク１０の上方に開口している。
攪拌機６０は、回転数を制御できるモーター６１と、モーター６１の回転軸の先端に回転羽根６２を有している。攪拌機６０は、スラリーストックタンク１０内のスラリーを攪拌できるように、回転羽根６２がスラリー中で回転できるように設置されている。回転羽根６２は、スラリーストックタンク１０のタンク径と同じくらいの形状の回転羽根が用いられた。
【００３９】
スラリーの粘度は、ある一定以上のせん断力（攪拌力）が加わると安定する領域がある（粘度のボトム）ため、その領域まで攪拌力を増減してやればよく、スラリーストックタンクの形状や容量にはよらない。このため、回転羽根６２の形状は、好ましくはタンク径と同じくらいの形状の回転羽根である。
攪拌機６０は、粘度計６５と接続されている。攪拌機６０の粘度計６５との接続は、攪拌機６０の回転数を制御する制御装置６７を介してなされている。攪拌機６０が粘度計６５と接続されていることで、粘度計６５により得られたスラリー粘度をフィードバックして、攪拌機６０の回転数を制御することでスラリー粘度を一定の値に保つことができる。
【００４０】
温調機７０は、スラリーストックタンク１０と一体的に形成され、スラリー温度を測定する温度計と、この温度計と接続されたヒーターとから構成されている。温調機７０は、温度計で測定されたスラリー温度をフィードバックしてヒーターの制御を行うことでスラリー温度を一定に保つものである。
（スラリーの循環）
本実施例の触媒用スラリー調整装置におけるスラリーの循環は、以下の通りである。
【００４１】
スラリーストックタンク１０に供給されたスラリーは、ポンプ２５によりスラリー循環管２０の一端部２１からバルブ３１、スラリーだめ２６、バルブ２３を通って他端部２２からスラリーストックタンク１０に還元されて循環する。
スラリーがスラリー循環管２０を循環している間は、バルブ３１は循環するスラリーがスラリー送出管３０に流れないように、バルブ２３はスラリー循環管２０にスラリーが流れるように調節されている。また、ガス供給管４０にもうけられたバルブ４２が開放され、バルブ４１が遮断されていることで、ガス供給管４０およびスラリー循環管２０内に加圧されたガスが入らないようになっている。
【００４２】
（スラリーの送出）
本実施例の触媒用スラリー調整装置からのスラリーの送出は、以下の手順によりなされる。
まず、スラリー循環管２０にスラリーを循環させる。
その後、バルブ２３を遮断し、バルブ３１を切り替えてスラリー循環管２０のスラリーだめ２６からスラリー送出管３０にスラリーが流れるようにする。スラリー送出管３０は、バルブ３２を切り替えて、スラリー還元管３５にスラリーが流れないようにする。
【００４３】
その後、ガス供給管４０のバルブ４２を遮断、バルブ４１を開放して、ガス供給管４０およびスラリー循環管２０に加圧されたガスを導入して、このガスの圧力によりスラリー循環管２０およびスラリーだめ２６中のスラリーをスラリー送出管３０の外部装置に送出する。
なお、スラリーの送出後は、再度、スラリー循環を行うように、それぞれのバルブを調節する。このとき、バルブ３２は、外部装置側からスラリー還元管３５にスラリーが流れるように切り替えられている。
【００４４】
（評価）
実施例の触媒用スラリー調整装置の評価は、スラリーストックタンク内のスラリー量を変化させたときのスラリー粘度を測定することにより行った。
アルミナを主成分として比重が１．５、固形分が４５％に調整されたスラリー１２０ｋｇをスラリーストックタンクに入れ、温調機のＯＮ／ＯＦＦ制御により、スラリー温度を２５±０．５℃に保つようにした。この状態で粘度計により測定されるスラリーの粘度が６０ｃｐｓになるように攪拌機の回転速度を調整したところ２５Ｈｚであった。
【００４５】
この条件下（スラリー温度：２５±０．５℃、回転速度：２５Ｈｚ）でスラリーストックタンクからスラリーを徐々に排出していくと、スラリー重量が６０ｋｇを下回ったあたりからスラリーの粘度が下降し始めた。
ここで、スラリーストックタンク内のスラリー重量が６０ｋｇの時、スラリー粘度が６０ｃｐｓになるように攪拌速度を調整した。このときの回転速度は１８Ｈｚであった。
【００４６】
また、この条件下（スラリー温度：２５±０．５℃、回転速度：１８Ｈｚ）でスラリーストックタンクにスラリー原料を供給してスラリー量を徐々に増やしていくと、スラリーの粘度は上昇し始めた。
スラリー温度を２５±０．５℃としたときの、さまざまな回転速度におけるスラリー重量とスラリー粘度との関係を測定し、測定結果を図２に示した。
【００４７】
図２より、回転速度が１８Ｈｚの場合では、スラリー重量が６０ｋｇまでは粘度が６０ｃｐｓになっているが、６０ｋｇを超えると粘度が上昇してくる。また、回転速度が２５Ｈｚの場合には、スラリー重量が６０ｋｇ付近で粘度が６０ｃｐｓになっている。さらに、回転速度が２５Ｈｚの場合には、スラリー重量が１００ｋｇを超えても、粘度を６０ｃｐｓ近傍に維持している。
【００４８】
実施例の触媒用スラリー調整装置において、スラリーの粘度を６０ｃｐｓに保つように測定された粘度のデータをフィードバックして攪拌速度を制御したところ、スラリーストックタンク内のスラリー重量が９０ｋｇ以上の時は２５Ｈｚ、６０以上９０ｋｇ未満の時は２２Ｈｚ、６０ｋｇ未満の時は１８Ｈｚであった。
本実施例の触媒用スラリー調整装置は、粘度計により測定された粘度データを常にフィードバックし、攪拌速度を制御することでストックタンク内のスラリー粘度を常に６０ｃｐｓ±１０％以内に制御できた。
【００４９】
【発明の効果】
本発明の触媒用スラリー調整装置は、スラリーストックタンクに開口したスラリー循環手段にスラリーを循環させることで、触媒用スラリーに常に同じせん断力を加えているため、触媒用スラリーの粘度を一定に保っている。
また、本発明の触媒用スラリー調整装置は、粘度計と接続されスラリーストックタンク内のスラリーを攪拌する攪拌機を有することで、スラリー量が変化しても、スラリーの粘度を一定に保つことができる。
【００５０】
本発明の触媒用スラリー調整装置は、触媒用スラリーを常に安定した状態で触媒担体に供給塗布することができる効果を有する。
【図面の簡単な説明】
【図１】  実施例の触媒用スラリー調整装置を示す図である。
【図２】  アルミナを主成分とするスラリーの攪拌速度ごとのスラリー量とスラリーの粘度の関係を示した図である。
【符号の説明】
１０…スラリーストックタンク        ２０…スラリー循環管
３０…スラリー送出管                ４０…ガス供給管
５０…スラリー供給管                ６０…攪拌機
７０…温調機
【図１】
0004313449.tif 000002
【図２】
0004313449.tif 000003